(57)【要約】【課題】ベースケースからの取り外しをせずにマイコンのフラッシュメモリ情報のアクセスを可能とした点灯装置および点灯装置の集積回路アクセス方法を提供する。【解決手段】点灯装置１００は、プリント回路基板（ＰＷＢ）６と、マイコン１６と、ベースケース４と、カバーケース５を備える。マイコン１６は、ＰＷＢ６の半田面１０に設けられている。マイコン１６は、端子１７を介して内部のメモリ記憶情報の消去、アクセス、および読み出しの少なくとも一つの操作であるアクセス操作が可能である。ベースケース４およびカバーケース５が、ＰＷＢ６をはさみこんで収納する。ＰＷＢ６は、貫通穴１２と、ランド１１と、一端がランド１１と接続し他の一端が端子１７と接続する配線パターン１７ａと、ランドと接触しつつ裏面側から貫通穴をふさぐ半田１３と、を備える。【選択図】図５
2014238931.tif 000002
【特許請求の範囲】
【請求項１】
表面と裏面を備えるプリント回路基板と、
前記裏面に設けられ、メモリおよびアクセス端子を備え、前記アクセス端子を介して前記メモリの情報の消去、書き込み、および読み出しの少なくとも一つの操作であるアクセス操作が可能な集積回路と、
前記裏面側に設けられて前記プリント回路基板を収納するベースケースと、
前記表面側に設けられて前記プリント回路基板をカバーするカバーケースと、
を備え、
前記プリント回路基板は、
前記表面と前記裏面を貫通する貫通穴と、
前記裏面における前記貫通穴の周りに設けられたランドと、
前記裏面に設けられ、一端が前記ランドと接続し他の一端が前記アクセス端子と接続する配線パターンと、
前記ランドと接触しつつ前記裏面側から前記貫通穴をふさぐ導電体と、
を備えることを特徴とする点灯装置。
【請求項２】
前記導電体が、前記貫通穴をふさいで前記ランドに接触する半田を含むことを特徴とする請求項１に記載の点灯装置。
【請求項３】
前記導電体が、前記裏面上に設けられ前記ランドに接続した電子部品の電極を含むことを特徴とする請求項１または２に記載の点灯装置。
【請求項４】
前記導電体が、前記表面側から前記貫通穴に挿入されたアキシャルリード部品のリード端子を含むことを特徴とする請求項１乃至３のいずれか１項に記載の点灯装置。
【請求項５】
前記導電体が、前記表面側から前記貫通穴に挿入されたジャンパ線を含むことを特徴とする請求項１乃至４のいずれか１項に記載の点灯装置。
【請求項６】
前記プリント回路基板は、前記カバーケースの外側に突き出た突出部を備え、
前記突出部に前記貫通穴が設けられたことを特徴とする請求項１乃至５のいずれか１項に記載の点灯装置。
【請求項７】
前記表面において前記貫通穴の隣に設けられた絶縁体を備えることを特徴とする請求項６に記載の点灯装置。
【請求項８】
前記カバーケースは、前記プリント回路基板をカバーするように取り付けられたときに平面視で前記貫通穴上に位置する穴部を備えることを特徴とする請求項１乃至７のいずれか１項に記載の点灯装置。
【請求項９】
前記メモリがフラッシュメモリであり、
前記アクセス操作が前記フラッシュメモリの書き込みであることを特徴とする請求項１乃至８のいずれか１項に記載の点灯装置。
【請求項１０】
表面と裏面を備えるプリント回路基板と、
前記裏面に設けられ、メモリおよびアクセス端子を備え、前記アクセス端子を介して前記メモリの情報の消去、書き込み、および読み出しの少なくとも一つの操作であるアクセス操作が可能な集積回路と、
前記裏面側に設けられて前記プリント回路基板を収納するベースケースと、
前記表面側に設けられて前記プリント回路基板をカバーするカバーケースと、
を備え、
前記プリント回路基板が、
前記アクセス端子と接続する配線パターンと、
前記配線パターンと接続し前記プリント回路基板の前記表面に露出する導電体と、
を備えることを特徴とする点灯装置。
【請求項１１】
前記導電体は、前記プリント回路基板の前記表面に実装された電子部品であることを特徴とする請求項１０に記載の点灯装置。
【請求項１２】
前記プリント回路基板は、前記カバーケースの外側に突き出た突出部を備え、
前記突出部に前記貫通穴が設けられたことを特徴とする請求項１０または１１に記載の点灯装置。
【請求項１３】
前記表面において前記貫通穴の隣に設けられた絶縁体を備えることを特徴とする請求項１２に記載の点灯装置。
【請求項１４】
前記カバーケースは、前記プリント回路基板をカバーするように取り付けられたときに平面視で前記貫通穴上に位置する穴部を備えることを特徴とする請求項１０乃至１３のいずれか１項に記載の点灯装置。
【請求項１５】
前記メモリがフラッシュメモリであり、
前記アクセス操作が前記フラッシュメモリの書き込みであることを特徴とする請求項１０乃至１４のいずれか１項に記載の点灯装置。
【請求項１６】
点灯装置の集積回路アクセス方法であって、
前記点灯装置が、
表面と裏面を備えるプリント回路基板と、
前記裏面に設けられ、メモリおよびアクセス端子を備え、前記アクセス端子を介して前記メモリの情報の消去、書き込み、および読み出しの少なくとも一つの操作であるアクセス操作が可能な集積回路と、
前記裏面側に設けられて前記プリント回路基板を収納するベースケースと、
前記表面側に設けられて前記プリント回路基板をカバーするカバーケースと、
を備え、
前記プリント回路基板は、
前記表面と前記裏面を貫通する貫通穴と、
前記裏面における前記貫通穴の周りに設けられたランドと、
前記裏面に設けられ、一端が前記ランドと接続し他の一端が前記集積回路のアクセス端子と接続する配線パターンと、
前記ランドと接触しつつ前記裏面側から前記貫通穴をふさぐ導電体と、
を備え、
アクセスピンを備えるアクセス装置を準備し、前記アクセスピンを前記表面側から前記導電体に当てることにより前記アクセスピンと前記アクセス端子を電気的に接続することで、前記集積回路のアクセスを行うことを特徴とする点灯装置の集積回路アクセス方法。
【請求項１７】
点灯装置の集積回路アクセス方法であって、
前記点灯装置が、
表面と裏面を備えるプリント回路基板と、
前記裏面に設けられ、メモリおよびアクセス端子を備え、前記アクセス端子を介して前記メモリの情報の消去、書き込み、および読み出しの少なくとも一つの操作であるアクセス操作が可能な集積回路と、
前記裏面側に設けられて前記プリント回路基板を収納するベースケースと、
前記表面側に設けられて前記プリント回路基板をカバーするカバーケースと、
を備え、
前記プリント回路基板が、
前記アクセス端子と接続する配線パターンと、
前記配線パターンと接続し前記プリント回路基板の前記表面に露出する導電体と、
を備え、
アクセスピンを備えるアクセス装置を準備し、前記アクセスピンを前記表面側から前記導電体に当てることにより前記アクセスピンと前記アクセス端子を電気的に接続することで、前記集積回路のアクセスを行うことを特徴とする点灯装置の集積回路アクセス方法。
【発明の詳細な説明】
【技術分野】
【０００１】
本発明は、点灯装置および点灯装置の集積回路アクセス方法に関する。
【背景技術】
【０００２】
従来、例えば特開２０１０−１５２６４１号公報に開示されているように、マイコン実装後の基板を製品（ケース）から取り出さずにフラッシュメモリ情報にアクセスするデータアクセスシステムが知られている。マイコン内部のメモリ情報に、データの読み取り等のアクセスを行いたい場合がある。しかし、一度基板に実装したマイコンを取り外す等の煩雑な作業は避けたい。そこで、上記公報にかかる技術では、無線通信を利用することで、マイコンの取り外しやマイコン実装後の基板の取り外しを行うことなく、データアクセスを可能としている。
【０００３】
具体的には、この公報に係るデータアクセスシステムは、製品に組み込まれる電子部品を搭載した基板に、アンテナ部、無線機能部、およびマイコンを備えている。アンテナ部は、データアクセスを行う無線リーダ／ライタから発信された電磁波を受ける。無線機能部は、アンテナ部で受けた電磁波からの電力伝搬およびデータ通信によりメモリにアクセスを行う。これにより、無線リーダ／ライタを用いて無線でマイコンのアクセスをおこなうことができる。
【先行技術文献】
【特許文献】
【０００４】
【特許文献１】特開２０１０−１５２６４１号公報
【発明の概要】
【発明が解決しようとする課題】
【０００５】
フラッシュメモリが内蔵されたマイコンを搭載したＬＥＤ点灯装置では、回路基板の半田面にマイコンが実装され、回路基板がベースケースに取り付けられるという構成がとられることがある。マイコンは内部のフラッシュメモリ情報にアクセスする為の端子を有していて、この端子が半田面側に位置する。このような構造を有するＬＥＤ点灯装置のフラッシュメモリにアクセスを行う場合、ベースケースから回路基板を取り外してアクセス作業を行う必要があった。その結果、システムの開発効率の向上や、製品出荷後のシステムメンテナンスの簡略化への妨げとなるという問題があった。
【０００６】
上記特開２０１０−１５２６４１号公報にかかる技術では、無線通信を行うので、不可避的に上記データ通信用アンテナ部等が必要となる。その結果、回路規模の増大や回路の複雑化等の課題が挙げられる。回路規模増加等の問題が生ずる無線通信ではない他の方法で、マイコンの取り外しやマイコン実装後の基板の取り外しを行うことなく、データアクセスを行うことがより好ましい。
【０００７】
本発明は、無線通信を用いることなく、ベースケースからの取り外しをせずにマイコンのフラッシュメモリ情報のアクセスを可能とした点灯装置および点灯装置の集積回路アクセス方法を提供することを目的とする。
【課題を解決するための手段】
【０００８】
本発明にかかる点灯装置は、
表面と裏面を備えるプリント回路基板と、
前記裏面に設けられ、メモリおよびアクセス端子を備え、前記アクセス端子を介して前記メモリの情報の消去、書き込み、および読み出しの少なくとも一つの操作であるアクセス操作が可能な集積回路と、
前記裏面側に設けられて前記プリント回路基板を収納するベースケースと、
前記表面側に設けられて前記プリント回路基板をカバーするカバーケースと、
を備え、
前記プリント回路基板は、
前記表面と前記裏面を貫通する貫通穴と、
前記裏面における前記貫通穴の周りに設けられたランドと、
前記裏面に設けられ、一端が前記ランドと接続し他の一端が前記アクセス端子と接続する配線パターンと、
前記ランドと接触しつつ前記裏面側から前記貫通穴をふさぐ導電体と、
を備えることを特徴とする。
【０００９】
本発明にかかる点灯装置は、
表面と裏面を備えるプリント回路基板と、
前記裏面に設けられ、メモリおよびアクセス端子を備え、前記アクセス端子を介して前記メモリの情報の消去、書き込み、および読み出しの少なくとも一つの操作であるアクセス操作が可能な集積回路と、
前記裏面側に設けられて前記プリント回路基板を収納するベースケースと、
前記表面側に設けられて前記プリント回路基板をカバーするカバーケースと、
を備え、
前記プリント回路基板が、
前記アクセス端子と接続する配線パターンと、
前記配線パターンと接続し前記プリント回路基板の前記表面に露出する導電体と、
を備えることを特徴とする。
【００１０】
本発明にかかる点灯装置の集積回路アクセス方法は、
前記点灯装置が、
表面と裏面を備えるプリント回路基板と、
前記裏面に設けられ、メモリおよびアクセス端子を備え、前記アクセス端子を介して前記メモリの情報の消去、書き込み、および読み出しの少なくとも一つの操作であるアクセス操作が可能な集積回路と、
前記裏面側に設けられて前記プリント回路基板を収納するベースケースと、
前記表面側に設けられて前記プリント回路基板をカバーするカバーケースと、
を備え、
前記プリント回路基板は、
前記表面と前記裏面を貫通する貫通穴と、
前記裏面における前記貫通穴の周りに設けられたランドと、
前記裏面に設けられ、一端が前記ランドと接続し他の一端が前記マイコンのアクセス端子と接続する配線パターンと、
前記ランドと接触しつつ前記裏面側から前記貫通穴をふさぐ導電体と、
を備え、
アクセスピンを備えるアクセス装置を準備し、前記アクセスピンを前記表面側から前記導電体に当てることにより前記アクセスピンと前記アクセス端子を電気的に接続することで、前記マイコンのアクセスを行うことを特徴とする。
【００１１】
本発明にかかる点灯装置の集積回路アクセス方法は、
前記点灯装置が、
表面と裏面を備えるプリント回路基板と、
前記裏面に設けられ、メモリおよびアクセス端子を備え、前記アクセス端子を介して前記メモリの情報の消去、書き込み、および読み出しの少なくとも一つの操作であるアクセス操作が可能な集積回路と、
前記裏面側に設けられて前記プリント回路基板を収納するベースケースと、
前記表面側に設けられて前記プリント回路基板をカバーするカバーケースと、
を備え、
前記プリント回路基板が、
前記アクセス端子と接続する配線パターンと、
前記配線パターンと接続し前記プリント回路基板の前記表面に露出する導電体と、
を備え、
アクセスピンを備えるアクセス装置を準備し、前記アクセスピンを前記表面側から前記導電体に当てることにより前記アクセスピンと前記アクセス端子を電気的に接続することで、前記マイコンのアクセスを行うことを特徴とする。
【発明の効果】
【００１２】
本発明によれば、ベースケースからの取り外しをせずにマイコンのフラッシュメモリ情報にアクセスすることができる。
【図面の簡単な説明】
【００１３】
【図１】本発明の実施の形態１にかかる点灯装置の構成を説明するための図である。
【図２】本発明の実施の形態１にかかる点灯装置の構成を説明するための図である。
【図３】本発明の実施の形態１にかかる点灯装置の構成を説明するための図である。
【図４】本発明の実施の形態１にかかる点灯装置の構成を説明するための図である。
【図５】本発明の実施の形態１にかかる点灯装置の構成を説明するための図である。
【図６】本発明の実施の形態１の変形例にかかる点灯装置の構成を説明するための図である。
【図７】本発明の実施の形態１の変形例にかかる点灯装置の構成を説明するための図である。
【図８】本発明の実施の形態２にかかる点灯装置の構成を説明するための図である。
【図９】本発明の実施の形態２にかかる点灯装置の構成を説明するための図である。
【図１０】本発明の実施の形態２にかかる点灯装置の構成を説明するための図である。
【図１１】本発明の実施の形態２の変形例にかかる点灯装置の構成を説明するための図である。
【図１２】本発明の実施の形態２の変形例にかかる点灯装置の構成を説明するための図である。
【図１３】本発明の実施の形態２の変形例にかかる点灯装置の構成を説明するための図である。
【図１４】本発明の実施の形態３にかかる点灯装置の構成を説明するための図である。
【図１５】本発明の実施の形態３にかかる点灯装置の構成を説明するための図である。
【図１６】本発明の実施の形態４にかかる点灯装置の構成を説明するための図である。
【図１７】本発明の実施の形態４にかかる点灯装置の構成を説明するための図である。
【図１８】本発明の実施の形態４の変形例にかかる点灯装置の構成を説明するための図である。
【図１９】本発明の実施の形態４の変形例にかかる点灯装置の構成を説明するための図である。
【発明を実施するための形態】
【００１４】
実施の形態１．
図１乃至５は、本発明の実施の形態１にかかる点灯装置１００の構成を説明するための図であり、点灯装置１００の回路図でもある。図１に示すように、点灯装置１００は、商用交流電源１と接続し、発光素子（ＬＥＤ）３に直流電流を供給する。
【００１５】
点灯装置１００は、電子部品が実装されるプリント回路基板６（以下、ＰＷＢ６という。）と、このＰＷＢ６が取り付けられるベースケース４と、ＰＷＢ６を覆うようにベースケース４に取り付けられるカバーケース５からなる。ＰＷＢ６は、部品面９と半田面１０を備えている。ＰＷＢ６の部品面９または半田面１０に、その内部にメモリを含む集積回路を備えたマイコン１６が実装されている。
【００１６】
マイコン１６は、内部メモリにアクセスするための複数の端子１７を備えている。以下、実施の形態で説明しているマイコン１６への「アクセス」とは、メモリ（具体的には、本実施形態では、フラッシュメモリ）を有するマイコンにおいてメモリ記憶情報の消去、アクセス、読み出しの少なくとも一つの操作をいうものとする。端子１７を介して、マイコン１６内部のフラッシュメモリの情報にアクセスすることができる。
【００１７】
図２はベースケース４およびカバーケース５をそれぞれ示す図であり、ＰＷＢ６がこれらに収納される。図３は、カバーケース５を装着した状態での点灯装置１００の図であり、図４はカバーケース５を取り外してＰＷＢ６の部品面９を視認したときの平面図であり、図５は図４の破線Ｘ１に沿う断面を示す図である。
【００１８】
図４においては、ランド１１、マイコン１６、端子１７、および配線パターン１７ａ等が点線で示されている。これはマイコン１６等がＰＷＢ６の半田面１０側に実装されており、便宜上ＰＷＢ６を透視しているからである。また、図５を含め、後述する各実施の形態の点灯装置の断面図には、アクセス装置１４があわせて図示されている。図５を含め後述する各実施の形態の点灯装置の断面図では、便宜上ＰＷＢ６とベースケース４を分離して図示している。しかし、実際の点灯装置１００では、ベースケース４内にＰＷＢ６が収容および固定されているものとする。
【００１９】
ＰＷＢ６の半田面１０には、マイコン１６の端子１７に接続される配線パターン１７ａが設けられている。ＰＷＢ６には、部品面９から半田面１０に貫通するとともに、配線パターン１７ａも貫通する貫通穴１２が開けられている。この配線パターン１７ａの一端が位置する貫通穴１２には、半田付けされる円形状のランド１１が形成されている。このランド１１に半田付けがされることによって、貫通穴１２を半田で塞いだ状態となる。
【００２０】
図５の断面図に示すように、アクセス装置１４全体をプリント回路基板６の方向へ移動してアクセスピン１５を貫通穴１２に挿入することで、アクセスピン１５を半田１３に接触させることができる。半田１３はランド１１に接続しており、ランド１１はマイコン１６の端子１７に接続している。なお、アクセス装置１４に可動部を設けて、アクセスピン１５のみを軸方向に可動できるようにしてもよい。
【００２１】
カバーケース５をベースケース４から外すと、ＰＷＢ６の部品面９が外部から見える状態となる。アクセスピン１５を備えるアクセス装置１４を準備し、アクセスピン１５を表面側（部品面９側）から貫通穴１２を通して導電体である半田１３に当てることによりアクセスピン１５と端子１７を接触させることができる。つまり、カバーケース５を外すだけでアクセスピン１５を貫通穴１２に挿入可能な状態となるので、ベースケース４からＰＷＢ６を取り外すことなくマイコン１６へのアクセスを行うことが可能となる。この状態で、アクセス装置１４からアクセスピン１５を介してマイコン１６へ書き込み信号などを送信することで、マイコン１６のフラッシュメモリへのアクセスが可能となる。
【００２２】
以上のように、マイコン１６のフラッシュメモリにアクセスする際にＰＷＢ６をベースケース４から取り外す必要がなく、カバーケース５を取り外すだけでマイコン１６のメモリ内のソフトウェアにアクセスすることが可能となる。新たな外付け部品や新たな制御回路等も必要ないので、回路規模の増大や複雑化を回避しつつ、システムの開発効率の向上や製品出荷後のシステムメンテナンスの簡略化を図ることができる。
【００２３】
図６および図７は、本発明の実施の形態１の変形例にかかる点灯装置１１０を示す図である。図６はカバーケース５を取り外してＰＷＢ６の部品面９を視認したときの平面図であり、図７は図６の破線Ｘ２に沿う断面を示す図である。図６および図７において、ランド１１がチップ形状の電子部品１８を実装するためのランドをかねている。半田１３で電子部品１８の電極をランド１１に実装している。電子部品１８の裏面とランド１１部分を電気的に接続させることで、貫通穴１２を通してアクセスピン１５を電子部品１８に接触させることができる。この接触状態でマイコン１６内の情報にアクセスすることができる。
【００２４】
実施の形態２．
図８乃至１０は、本発明の実施の形態２にかかる点灯装置２００の構成を示す図である。図８は、カバーケース５を装着した状態での点灯装置２００の図であり、図９はカバーケース５を取り外してＰＷＢ６の部品面９を視認したときの平面図であり、図１０は図９の破線Ｘ３に沿う断面を示す図である。マイコン１６の端子１７につながるランド１１に、部品面９側から貫通穴１２に挿入されたジャンパ線１９が実装されている。ジャンパ線１９が、マイコン１６の端子１７につながるランド１１に接触している。このため、図のように、ジャンパ線１９にアクセス装置１４のアクセスピン１５を接触させることで、マイコン１６のメモリへのアクセスが可能である。
【００２５】
図８に示すように、実施の形態２では、カバーケース５に、穴部５ａ、５ｂ、５ｃおよび５ｄが設けられている。穴部５ａ、５ｂ、５ｃおよび５ｄは、平面視でちょうど貫通穴１２それぞれの上に位置するように設けられている。これにより、穴部５ａ、５ｂ、５ｃおよび５ｄにアクセスピン１５を差し込むことができ、カバーケース５をとりはずすことなくアクセスピン１５をジャンパ線１９に接触させることができる。
【００２６】
図１１乃至１３は、本発明の実施の形態２の変形例にかかる点灯装置２００の構成を示す図である。図１１は、カバーケース５を装着した状態での点灯装置２１０の図であり、図１２はカバーケース５を取り外してＰＷＢ６の部品面９を視認したときの平面図であり、図１３は図１２の破線Ｘ４に沿う断面を示す図である。ジャンパ線１９がアキシャルリードタイプの電子部品に置換されている点が、この変形例の特徴である。具体的には、アキシャルリードタイプの抵抗２０を実装し、そのリード部にアクセス装置１４のアクセスピン１５を接触させて、部品面９側からアクセスを可能としてもよい。
【００２７】
実施の形態２およびその変形例によれば、アキシャルリードタイプの電子部品やジャンパ線にアクセスピン１５を接触させる。従って、ＰＷＢ６に穴加工およびランドへの半田付けをしなくともよいという利点がある。
【００２８】
また、穴部５ａ、５ｂ、５ｃ、および５ｄが、カバーケース５をとりはずすことなくアクセスピン１５をジャンパ線１９に接触させることを可能にする。これにより、マイコン１６に書き込み等の設定がされていない状態で点灯装置２００を製造して在庫として管理しておくことができる。出荷時に簡単にマイコン１６への書き込み、設定をおこなうことができるからである。これにより在庫管理が容易になるという利点がある。
【００２９】
なお、穴部５ａ、５ｂ、５ｃ、および５ｄは、実施の形態２に限らず、実施の形態１および後述する実施の形態３および４においてカバーケース５に適宜に設けても良いものである。
【００３０】
実施の形態３．
図１４および図１５は、本発明の実施の形態３にかかる点灯装置３００の構成を示す図である。図１４はカバーケース５を取り外してＰＷＢ６の部品面９を視認したときの平面図であり、図１５は図１４の破線Ｘ５に沿う断面を示す図である。実施の形態３にかかる点灯装置３００は、ＰＷＢ２１を備えている。ＰＷＢ２１は、表面と裏面の両方に配線パターンを設けた両面基板である。両面基板なので部品面にはチップ部品１１６が実装されており、このチップ部品１１６のランド１１はマイコン１６の端子１７へとつながっている。したがって、このランド１１へアクセス装置１４のアクセスピン１５を接触させることでマイコン１６のフラッシュメモリへのアクセスが可能である。
【００３１】
実施の形態４．
図１６および図１７は、本発明の実施の形態４にかかる点灯装置４００の構成を示す図である。図１６は点灯装置４００をカバーケース５側から見た平面図であり、図１７はその側面図である。ＰＷＢ６は、カバーケース５の外側に突き出てカバーケース５で覆われない突出部６ａを備えている。この突出部６ａに、貫通穴１２が設けられている。このため、カバーケース５を開けることなくマイコン１６のフラッシュメモリへのアクセスが可能である。
【００３２】
図１８および図１９は、本発明の実施の形態４の変形例にかかる点灯装置４１０を示す図である。点灯装置４１０のように、突出部６ａに、部品面９の表面において貫通穴１２の隣に設けられた絶縁体２２が設けられていてもよい。絶縁体２２はある程度の厚みを有するようにしており、この絶縁体２２により、図１９に示すように絶縁距離の確保が達成され、指３０が貫通穴１２近傍のランドおよび配線に触れることが防止される。
【００３３】
なお、実施の形態４において、突出部６ａに露出させるのは、貫通穴１２だけに限られない。実施の形態２のようにジャンパ線１９およびアキシャルリードタイプの部品（例えば抵抗２０）を露出させたり、実施の形態３のようにチップ部品１１６のランドを露出させたりしても良い。
【符号の説明】
【００３４】
１  商用交流電源、３  ＬＥＤ、４  ベースケース、５  カバーケース、５ａ、５ｂ、５ｃ、５ｄ  開口、６  プリント回路基板、６ａ  突出部、９  部品面、１０  半田面、１１  ランド、１２  貫通穴、１３  半田、１４  アクセス装置、１５  アクセスピン、１６  マイコン、１７  アクセス端子、１７ａ  配線パターン、１８  電子部品、１９  ジャンパ線、２０  抵抗、２２  絶縁体、３０  指、１００、１１０、２００、２１０、３００、４００  点灯装置、１１６  チップ部品
【図１】
2014238931.tif 000003
【図２】
2014238931.tif 000004
【図３】
2014238931.tif 000005
【図４】
2014238931.tif 000006
【図５】
2014238931.tif 000007
【図６】
2014238931.tif 000008
【図７】
2014238931.tif 000009
【図８】
2014238931.tif 000010
【図９】
2014238931.tif 000011
【図１０】
2014238931.tif 000012
【図１１】
2014238931.tif 000013
【図１２】
2014238931.tif 000014
【図１３】
2014238931.tif 000015
【図１４】
2014238931.tif 000016
【図１５】
2014238931.tif 000017
【図１６】
2014238931.tif 000018
【図１７】
2014238931.tif 000019
【図１８】
2014238931.tif 000020
【図１９】
2014238931.tif 000021